(57)【特許請求の範囲】
【請求項１】
コイルを巻回したコアと前記コアを固定したモータベースとからなるステータと、
前記モータベースの中央に保持部を介して回転自在に保持された軸と、
前記軸の上面と所定の距離を隔てて設けられたトップカバーと、
前記コアと対応する位置に設けた環状駆動磁石と前記環状駆動磁石を内周に設けたロータヨークと前記ロータヨークを保持し、前記軸の上端に突出しないように固着されたハブとからなるロータと、
前記ハブに一体的に取り付けられたディスクとからなるスピンドルモータにおいて、
前記軸の中心部上面に前記軸の太さよりも小さい半球形状の突出部を前記トップカバーと所定の間隔を隔てて設けたことを特徴とするスピンドルモータ。
【請求項２】
コイルを巻回したコアと前記コアを固定したモータベースとからなるステータと、
前記モータベースの中央に立設固定された軸と、
前記コアと対応する位置に設けた環状駆動磁石と前記環状駆動磁石を内周に設けたロータヨークと前記ロータヨークを保持し、前記軸に保持部を介して回転自在に保持されたハブとからなるロータと、
前記ハブの上面と所定の距離を隔てて設けられたトップカバーと、
前記ハブに一体的に取り付けられたディスクとからなるスピンドルモータにおいて、
前記ハブの中心部上面に前記軸の太さよりも小さい半球形状の突出部を前記トップカバーと所定の間隔を隔てて設けたことを特徴とするスピンドルモータ。
【発明の詳細な説明】
【０００１】
【発明の属する技術分野】
本発明は、ハードディスクドライブ（以下ＨＤＤという）などに使用するディスク駆動用のスピンドルモータに関するものである。
【０００２】
【従来の技術】
従来、ハードディスクドライブ（以下ＨＤＤという）などの磁気記録ディスク装置を駆動するためのモータとして、動圧軸受やボールベアリングを使用したスピンドルモータが使用されている。ところで、ＨＤＤは大容量化が進行している一方で、小型化の要望があり、しかも高い信頼性が同時に要求されている。
【０００３】
従来のスピンドルモータについて図３を使用して説明する。図３は従来のスピンドルモータを示す断面図である。図３に示す従来例では動圧軸受を使用しており、動圧軸受は、モータベース４に固定した保持部１と、ハブ３と一体的に回転する軸２とから成る。また、軸２には斜線を組み合わせた溝が形成されており、保持部１と共に動圧軸受を形成している。
【０００４】
軸２の下端にはフランジ６が取り付けられており軸２の抜けを防止している。更にフランジ６の下方にはスラスト１９が取り付けられており動圧スラスト軸受を形成している。モータベース４上の保持部外周に該当する部分にはコア８及びコイル９が設けられており、コア８は１２スロットで、外周にコイル９が巻回されている。
【０００５】
軸２の上端にはハブ３が固着されており、ハブ３の下方内周のコア８に対向する位置には駆動用の環状駆動磁石１０がロータヨーク１７を介して設けられている。
【０００６】
そして、コイル９に図示しない駆動回路によって駆動電流を印加すると、環状駆動磁石１０との働きによってロータ１１が回転する。このとき、環状駆動磁石１０は８極に着磁されている。
【０００７】
また、ロータ１１には複数枚の磁気ディスク１２がディスククランパ１３をねじ１４によってねじ止めすることによって固定されている。
【０００８】
このように構成されたスピンドルモータの軸２の上面に形成された軸上面部１５は円形の平面を形成しており、軸上面部１５の周りにはハブ３によるドーナツ状の平面が形成されている。そして、軸上面部と所定の距離を保ちトップカバー１６が形成されている。
【０００９】
図４は、軸固定型のＨＤＤ用スピンドルモータを示す図である。軸２はモータベース４に接着固定されており、斜線を組み合わせた溝によって保持部１と共に流体軸受を形成している。軸２の上端にはフランジ６が取り付けられており、
軸２の抜けを防止している。更に、フランジの上にはスラスト１９を形成し、その上部にカバー２０を形成している。
【００１０】
【発明が解決しようとする課題】
ところで、モータの回転中にＨＤＤのトップカバー１６に何らかの力が加わると、モータの軸上面部１５とトップカバー１６の下面とが接触して塵が発生してしまう。図４に示す従来例でも同様にカバー２０とトップカバー１６の下面とが接触して塵が発生する。このように発生した塵は磁気ディスク１２の表面に広がり、ヘッドクラッシュ等の問題を引き起こす要因となってしまう。特に軸上面部１５又はカバー２０とトップカバー１６との接触面積が大きいほど接触による塵の発生が多くなってしまう。
【００１１】
しかしながら、ＨＤＤなどの磁気記録ディスク装置は、小型化の要求が強いため、軸上面部１５又はカバー２０とトップカバー１６との間隙を狭くする必要があり、しかも、トップカバー１６の板厚を薄くする必要があるため強度がなくなるという問題がある。従って、トップカバー１６の下面と、軸上面部１５又はカバー２０との間隔は極めて狭く形成され、接触が避けられなくなってきている。
【００１２】
【課題を解決するための手段】
本発明は上述した課題を解決するために、コイル９を巻回したコア８と前記コア８を固定したモータベース４とからなるステータ７と、前記モータベース４の中央に保持部１を介して回転自在に保持された軸２と、前記軸２の上面と所定の距離を隔てて設けられたトップカバー１６と、前記コア８と対応する位置に設けた環状駆動磁石１０と前記環状駆動磁石１０を内周に設けたロータヨーク１７と前記ロータヨーク１７を保持し、前記軸２に固着されたハブ３とからなるロータ１１と、前記ハブ３に一体的に取り付けられたディスク１２とからなるスピンドルモータにおいて、前記軸２の中心部上面に前記軸２の太さよりも小さい半球形状の突出部１８を前記トップカバーと所定の間隔を隔てて設けたことを特徴とするスピンドルモータを提供するものである。
【００１３】
また、コイル９を巻回したコア８と前記コア８を固定したモータベース４とからなるステータ７と、前記モータベース４の中央に立設固定された軸２と、前記コア８と対応する位置に設けた環状駆動磁石１０と前記環状駆動磁石１０を内周に設けたロータヨーク１７と前記ロータヨーク１７を保持し、前記軸２に保持部１を介して回転自在に保持されたハブ３とからなるロータ１１と、前記ハブ３の上面と所定の距離を隔てて設けられたトップカバー１６と、前記ハブ３に一体的に取り付けられたディスク１２とからなるスピンドルモータにおいて、前記ハブ３の中心部上面に前記軸２の太さよりも小さい半球形状の突出部１８を前記トップカバー１６と所定の間隔を隔てて設けたことを特徴とするスピンドルモータを提供するものである。
【００１４】
【発明の実施の形態】
以下、本発明に係るスピンドルモータの一実施例について図１を参照して説明する。なお、従来例と同じ構成部材については同一の符号を付し説明を一部省略する。図１は本発明の一実施例に係るスピンドルモータを示す断面図である。同図に示す実施例では動圧軸受を使用しており、動圧軸受は、モータベース４に固定した保持部１と、ハブ３と一体的に回転する軸２とから成る。また、軸２には斜線を組み合わせた溝が形成されており、保持部１と共に動圧軸受を形成している。
【００１５】
軸２の下端にはフランジ６が取り付けられており軸２の抜けを防止している。更にフランジ６の下方にはスラスト１９が取り付けられており動圧スラスト軸受を形成している。モータベース４上の保持部外周に該当する部分にはコア８及びコイル９が設けられており、コア８は１２スロットで、外周にコイル９が巻回されている。
【００１６】
軸２の上端にはハブ３が固着されており、ハブ３の下方内周のコア８に対向する位置には駆動用の環状駆動磁石１０がロータヨーク１７を介して設けられている。なお、ハブ３の上面は軸２の上面より突出することはない。
そして、コイル９に図示しない駆動回路によって駆動電流を印加すると、環状駆動磁石１０との働きによってロータ１１が回転する。このとき、環状駆動磁石１０は８極に着磁されている。
【００１７】
また、ロータ１１には複数枚の磁気ディスク１２がディスククランパ１３をねじ１４によってねじ止めすることによって固定されている。
このように構成されたスピンドルモータの軸２の上面に形成された軸上面部１５は円形の平面を形成しており、その中央には軸２の太さよりも充分に小さい半球形状の突出部１８が形成されている。そして、突出部１８と所定の距離を保ちトップカバー１６が形成されている。なお、上述した突出部１８はその頂点部が球形状であればどのような形状であっても良く、更に軸２と一体に成形しても別体に成形しても良いことはもちろんである。
【００１８】
図２は、軸固定型のＨＤＤ用スピンドルモータを示す図である。軸２はモータベース４に接着固定されており、斜線を組み合わせた溝によって保持部１と共に流体軸受を形成している。軸２の上端にはフランジ６が取り付けられており、
軸２の抜けを防止している。更に、フランジの上にはスラスト１９を形成し、その上部にカバー２０を形成している。そして、カバー２０の中央に軸２の太さよりも充分に小さい半球形状の突出部１８が形成されている。なお、上述した突出部１８はその頂点部が球形状であればどのような形状であっても良く、更にカバー２０と一体に成形しても別体に成形しても良いことはもちろんである。
【００１９】
また、本実施例では突出部１８の半径をｒ、軸２の半径をＲとしたときに、
【００２０】
【数１】
0003890757.tif 000002
の関係となるように構成してある。
【００２１】
このように構成したスピンドルモータでは、軸２又はカバー２０の上面に半球形状の突出部１８を形成しているのでトップカバー１６が筐体内方向に変形しても接触する場所が突出部１８の先端のみとなり、しかも突出部の先端が半球形状であるから接触によるトップカバー１６の損傷が少なく塵が発生しにくくなる。
【００２２】
【発明の効果】
以上詳述したように、本発明に係るスピンドルモータによれば、モータの回転中にＨＤＤのトップカバーに力が加わって、モータの軸上面部とトップカバーの下面とが接触しても塵の発生を抑制することができるので、ヘッドクラッシュ等の問題を回避することができるという効果を奏する。このため、トップカバーを薄型化することができ、磁気ディスク装置を小型化する事が出来るという効果を奏する。
【図面の簡単な説明】
【図１】本発明に係るスピンドルモータの一実施例を示す断面図である。
【図２】本発明に係るスピンドルモータの他の実施例を示す断面図である。
【図３】従来のスピンドルモータを示す断面図である。
【図４】従来の他のスピンドルモータを示す断面図である。
【符号の説明】
１    保持部
２    軸
３    ハブ
４    モータベース
５    溝
６    フランジ
７    ステータ
８    コア
９    コイル
１０    環状駆動磁石
１１    ロータ
１２    磁気ディスク
１３    ディスククランパ
１４    ねじ
１５    軸上面
１６    トップカバー
１７    ロータヨーク
１８    突出部
１９    スラスト
２０    カバー
【図１】
0003890757.tif 000003
【図２】
0003890757.tif 000004
【図３】
0003890757.tif 000005
【図４】
0003890757.tif 000006